(57)【要約】【課題】ＨＤＭＩ規格に対応しているにもかかわらずＣＥＣに非対応の外部機器に対しても、ＣＥＣメッセージを用いたときと同等の操作を行うことができるようにする。【解決手段】テレビジョン装置１００では、接続検出部１３８によりＨＤＭＩケーブル１３５の物理的な接続が検知されているときに、ＨＤＭＩケーブルで接続された外部機器に対して所定のＣＥＣメッセージを送信し、その返信の有無に従って、接続された外部機器がＣＥＣメッセージに対応しているかどうかを判別する。そして外部機器がＣＥＣに非対応の機器である場合、リモコン１２１等の操作による操作信号を、外部機器を操作するための操作信号に変換し、ビデオマウスコネクタ１３７に接続したビデオマウスにより外部機器に送信する。【選択図】図１
2009027599.tif 000002
【特許請求の範囲】
【請求項１】
ＨＤＭＩ規格によるＨＤＭＩケーブルを接続するためのＨＤＭＩ入力端子を備えた表示装置において、
該表示装置は、前記ＨＤＭＩ入力端子に対してＨＤＭＩケーブルが物理的に接続されているかどうかを検出するＨＤＭＩケーブル接続検知手段と、
該ＨＤＭＩケーブル接続検知手段により前記ＨＤＭＩ入力端子に対するＨＤＭＩケーブルの物理的な接続が検知されているときに、前記ＨＤＭＩ入力端子に接続されたＨＤＭＩケーブルのＣＥＣラインに対して、所定のＣＥＣメッセージを送信し、該送信したＣＥＣメッセージに対する返信の有無を判別し、該判別結果に従って前記ＨＤＭＩケーブルにより接続された外部機器がＣＥＣメッセージに対応している機器かどうかを判別する機器判別手段と、
前記機器判別手段により前記外部機器がＣＥＣに非対応の機器であるものと判別されたときに、前記外部機器を操作するための操作信号を、ＣＥＣメッセージとは異なる手段により前記外部機器に送信する操作信号送信手段とを備えることを特徴とする表示装置。
【請求項２】
請求項１に記載の表示装置において、前記操作信号送信手段は、前記外部機器を操作するための操作信号を、該表示装置に接続した送信手段により送信することを特徴とする表示装置。
【請求項３】
請求項１に記載の表示装置において、該表示装置は、ユーザによる入力操作を受け付ける操作入力手段と、
該操作入力手段による入力操作に応じて該操作入力手段から出力された第１の操作信号を、前記外部機器を操作するための第２の操作信号に変換する操作信号変換手段を有し、
前記操作信号送信手段は、前記機器判別手段により前記外部機器がＣＥＣに非対応の機器であるものと判別されたときに、前記外部機器を操作するための操作信号として、前記第２の操作信号を前記ＣＥＣメッセージとは異なる手段により前記外部機器に送信することを特徴とする表示装置。
【請求項４】
請求項３に記載の表示装置において、該表示装置は、前記第１の操作信号に含まれる制御コードと、前記外部機器を制御するための制御コードとを、前記外部機器の種別ごとに関連付けてテーブルにして記憶する手段を有し、
前記操作信号変換手段は、前記第１の操作信号を変換する際に、前記テーブルを参照し、前記第１の操作信号に含まれる制御コードに基づいて、前記外部機器を制御するための制御コードを抽出し、前記第１の操作信号を、前記抽出した制御コードを用いた前記第２の操作信号に変換することを特徴とする表示装置。
【請求項５】
請求項３に記載の表示装置において、該表示装置は、前記第１の操作信号に含まれる制御コードに従って生成されるＣＥＣメッセージと、前記外部機器を制御するための制御コードとを、前記外部機器の種別ごとに関連付けてテーブルにして記憶する手段を有し、
前記操作信号変換手段は、前記第１の操作信号を変換する際に、前記テーブルを参照し、前記第１の操作信号に含まれる制御コードに従って生成されるべきＣＥＣメッセージに基づいて、前記外部機器を制御するための制御コードを抽出し、前記第１の操作信号を、前記抽出した制御コードを用いた前記第２の操作信号に変換することを特徴とする表示装置。
【請求項６】
請求項３に記載の表示装置において、該表示装置は、前記機器判別手段により前記外部機器がＣＥＣ非対応の機器であると判別したときに、該外部機器の種別を登録するための登録画面を表示する手段と、
該登録画面を用いて登録された外部機器の種別を記憶する外部機器種別記憶手段とを有し、
前記操作信号変換手段は、前記外部機器種別記憶手段に記憶した外部機器の種別に従って、前記第１の操作信号を変換すること特徴とする表示装置。
【請求項７】
請求項１に記載の表示装置において、前記表示装置から前記ＣＥＣラインに送信するＣＥＣメッセージは、ＨＤＭＩで規定されている＜give physical address＞であって、前記外部機器からの返信の有無を判別するコマンドは、ＨＤＭＩで規定されている＜report physical address＞であることを特徴とする表示装置。
【発明の詳細な説明】
【技術分野】
【０００１】
本発明は、表示装置及に関し、より詳細には、ＨＤＭＩ(High Definition Multimedia Interface)に基づくデジタルインタフェースにより外部機器と接続可能な表示装置に関する。
【背景技術】
【０００２】
映像／音声等伝送用のデジタルインタフェースとしてＨＤＭＩが周知である。例えば液晶テレビ等の表示装置においては、ＨＤＭＩで規定される機器制御信号ＣＥＣ（Consumer Electronics Control）によるコマンドを使用した外部機器との連携機能が注目されている。ＣＥＣメッセージはＨＤＭＩで規格化されている機器制御信号であり、液晶テレビ等の表示装置にＨＤＭＩにより接続したレコーダ等の外部機器を、ＣＥＣメッセージを用いることにより表示装置側から操作することができる。
【０００３】
このような接続外部機器を表示装置から操作できるようにした先行技術に関し、例えば特許文献１には、複数のＡＶ機器を接続して構成したＡＶシステムにおいて、各ＡＶ機器が独自のグラフィック表示データを自ら格納し、グラフィック表示機能を持つＡＶ機器（コントローラ）からの要求によりグラフィック表示データをコントローラへ送信するようにした構成が開示されている。コントローラでは、表示されたグラフィック表示データを操作することで、ＡＶ機器を集中的に操作できるようにしている。ここではＡＶ機器間は、ＩＥＥＥ１３９４規格等によるデジタルインタフェースで接続され、各ＡＶ機器が切り換え接続無しで他のＡＶ機器と双方向パケット通信方式で均等な通信機会を周期的に与えるようにしている。
【０００４】
また非特許文献１は、ＨＤＭＩ規格におけるＣＥＣについて開示している。ＨＤＭＩでは、Ｖｅｒ１．２ａにより初めてＡＶ機器の制御に関するＣＥＣが規定されている。それ以前のＶｅｒ．（バージョン）では、ＣＥＣによる制御は規定されていない。
【特許文献１】特開平９−１４９３２５号公報。
【非特許文献１】「High-Definition Multimedia Interface Specification Version 1.2a  Supplement 1 Consumer Electronics Control (CEC)」
【発明の開示】
【発明が解決しようとする課題】
【０００５】
上記のように、ＨＤＭＩ規格において機器制御に使用するＣＥＣメッセージは、ＨＤＭＩの初期の規格では規定されてなく、ＨＤＭＩに対応した機器であっても、ＣＥＣメッセージには対応していない機器も存在している。
このような機器は、ＨＤＭＩケーブルを介して映像／音声のストリームを出力させることはできるものの、液晶テレビなどの表示装置から送信されたＣＥＣメッセージに従って動作することはできなかった。つまりこのような機器は、ＨＤＭＩ対応であるがＣＥＣ非対応であり、ＣＥＣに対応している液晶テレビなどの表示装置と接続した場合、その表示装置を操作して、ＣＥＣメッセージをその機器に送信しても、機器を操作することはできなかった。
【０００６】
例えば、ＨＤＭＩとＣＥＣに対応した液晶テレビと、ＨＤＭＩ対応でＣＥＣ非対応のレコーダとがＨＤＭＩケーブルにより相互に接続されているケースを考える。この場合、液晶テレビは、ＣＥＣメッセージを用いてレコーダを制御することはできない。ここではレコーダはＣＥＣ非対応であるため、例えばＨＤＭＩケーブルで接続されたレコーダが電源を投入しても、ＣＥＣ対応であれば送信されるはずのＣＥＣメッセージ〈Active Source〉がレコーダから送信されないため、液晶テレビではレコーダを認識することができない。このときに例えば、ユーザが、液晶テレビに付属しているリモコンの「ワンタッチ録画」ボタンを操作してレコーダで録画を実行させようとしても、レコーダがＣＥＣ非対応であるため録画を開始することはできない。そしてこの場合、ユーザは、なぜレコーダが録画しないのかを特定することもできない。
【０００７】
すなわち、ＨＤＭＩ規格の古いバージョンが搭載されＣＥＣに対応していない機器の場合、ＣＥＣに対応した表示装置と間で、ＣＥＣメッセージを用いた連携機能を実現することができない、という問題がある。
またこの他このような機器としては、ＨＤＭＩで標準として規定されている全てのＣＥＣメッセージに対応せずに、所謂ベンダコマンドを多用して動作させるようにした機器もある。このような場合にも、特定のＣＥＣに対応コマンドに対応していなければ、上記と同様の問題が生じ、表示装置との連携機能を十分に発揮することができない。
【０００８】
このような問題に関し、上記の特許文献１の技術では、それぞれのインターフェースに適合した機器を用いることを前提としたものであるため、上記のような規格のバージョンに適合していない場合には使用できない。また規格に適合しているものと不適合のものを混在させて使用する場合にはトラブルが生じる。また上記の非特許文献１では、規格不適合機器の混在使用等のトラブル対策までは未規定である。
【０００９】
本発明は、上述のような実情に鑑みてなされたもので、ＨＤＭＩ規格に対応しているにもかかわらずＣＥＣに非対応の外部機器に対しても、ＣＥＣメッセージを用いたときと同等の操作を行うことができるようにした表示装置を提供することを目的とするものである。
【課題を解決するための手段】
【００１０】
上記課題を解決するために、本発明の第１の技術手段は、ＨＤＭＩ規格によるＨＤＭＩケーブルを接続するためのＨＤＭＩ入力端子を備えた表示装置において、表示装置は、ＨＤＭＩ入力端子に対してＨＤＭＩケーブルが物理的に接続されているかどうかを検出するＨＤＭＩケーブル接続検知手段と、ＨＤＭＩケーブル接続検知手段によりＨＤＭＩ入力端子に対するＨＤＭＩケーブルの物理的な接続が検知されているときに、ＨＤＭＩ入力端子に接続されたＨＤＭＩケーブルのＣＥＣラインに対して、所定のＣＥＣメッセージを送信し、送信したＣＥＣメッセージに対する返信の有無を判別し、判別結果に従ってＨＤＭＩケーブルにより接続された外部機器がＣＥＣメッセージに対応している機器かどうかを判別する機器判別手段と、機器判別手段により外部機器がＣＥＣに非対応の機器であるものと判別されたときに、外部機器を操作するための操作信号を、ＣＥＣメッセージとは異なる手段により外部機器に送信する操作信号送信手段とを備えることを特徴としたものである。
【００１１】
第２の技術手段は、第１の技術手段において、操作信号送信手段は、外部機器を操作するための操作信号を、表示装置に接続した送信手段により送信することを特徴としたものである。
【００１２】
第３の技術手段は、第１の技術手段において、表示装置は、ユーザによる入力操作を受け付ける操作入力手段と、操作入力手段による入力操作に応じて操作入力手段から出力された第１の操作信号を、外部機器を操作するための第２の操作信号に変換する操作信号変換手段を有し、操作信号送信手段は、機器判別手段により外部機器がＣＥＣに非対応の機器であるものと判別されたときに、上記の外部機器を操作するための操作信号として、第２の操作信号をＣＥＣメッセージとは異なる手段により外部機器に送信することを特徴としたものである。
【００１３】
第４の技術手段は、第３の技術手段において、表示装置は、第１の操作信号に含まれる制御コードと、外部機器を制御するための制御コードとを、外部機器の種別ごとに関連付けてテーブルにして記憶する手段を有し、操作信号変換手段は、第１の操作信号を変換する際に、テーブルを参照し、第１の操作信号に含まれる制御コードに基づいて、外部機器を制御するための制御コードを抽出し、第１の操作信号を、抽出した制御コードを用いた第２の操作信号に変換することを特徴としたものである。
【００１４】
第５の技術手段は、第３の技術手段において、表示装置は、第１の操作信号に含まれる制御コードに従って生成されるＣＥＣメッセージと、外部機器を制御するための制御コードとを、外部機器の種別ごとに関連付けてテーブルにして記憶する手段を有し、操作信号変換手段は、第１の操作信号を変換する際に、テーブルを参照し、第１の操作信号に含まれる制御コードに従って生成されるべきＣＥＣメッセージに基づいて、外部機器を制御するための制御コードを抽出し、入力操作信号を、抽出した制御コードを用いた第２の操作信号に変換することを特徴としたものである。
【００１５】
第６の技術手段は、第３の技術手段において、表示装置は、機器判別手段により外部機器がＣＥＣ非対応の機器であると判別したときに、外部機器の種別を登録するための登録画面を表示する手段と、登録画面を用いて登録された外部機器の種別を記憶する外部機器種別記憶手段とを有し、操作信号変換手段は、外部機器種別記憶手段に記憶した外部機器の種別に従って、第１の操作信号を変換すること特徴としたものである。
【００１６】
第７の技術手段は、第１の技術手段において、表示装置からＣＥＣラインに送信するＣＥＣメッセージは、ＨＤＭＩで規定されている＜give physical address＞であって、外部機器からの返信の有無を判別するコマンドは、ＨＤＭＩで規定されている＜report physical address＞であることを特徴としたものである。
【発明の効果】
【００１７】
本発明によれば、ＨＤＭＩ規格に対応しているにもかかわらずＣＥＣに非対応の外部機器に対しても、ＣＥＣメッセージを用いたときと同等の操作を行うことができるようにした表示装置を提供することができる。
【００１８】
本発明によれば、ＨＤＭＩ入力端子にＣＥＣ非対応の外部機器が接続されているものと判別されているときに、リモコン等の操作入力手段に対して操作入力が行われた場合、操作入力手段から出力される操作信号を、外部機器を操作するための操作信号に変換してＣＥＣメッセージとは異なる手段、例えば、ビデオマウスのような送信手段により送信することにより、ＨＤＭＩ対応でＣＥＣメッセージ非対応の外部機器に対してもＣＥＣメッセージを用いたときと同等の操作制御を行うことができる。
【００１９】
さらに本発明によれば、例えばＨＤＭＩ規格がバージョンアップされ、ＨＤＭＩ・ＣＥＣに変更が加わった場合でも、リモコン等の操作入力手段の操作による制御コードと、外部機器を制御するための制御コードとの対応関係を新たに記憶させることにより、新たな規格にも対応して外部機器の制御を実行することができるようになる。
【００２０】
さらに本発明によれば、ＣＥＣ非対応の古いＨＤＭＩ規格に準拠した外部機器と、ＣＥＣ対応の新しい規格に準拠した外部機器とを混在させて使用する環境であっても、古いＨＤＭＩ規格に準拠した外部機器の資産を有効に活用することが可能となる。
【発明を実施するための最良の形態】
【００２１】
本発明の表示装置に係る実施形態は、ＨＤＭＩ対応でＣＥＣ非対応の外部機器をＨＤＭＩ接続ケーブルにて表示装置に接続して使用した場合、その外部機器を操作するための操作信号をＣＥＣメッセージとは異なる手段で送信することにより、ＣＥＣ非対応の外部機器であってもＣＥＣ対応機器と同様の操作で同様の動作を実行させるようにしている。
【００２２】
ここでは、表示装置は、そのＨＤＭＩ入力端子に対してＨＤＭＩケーブルが物理的に接続されているかどうかを検出するＨＤＭＩケーブル接続検知手段を備えている。ＨＤＭＩケーブル接続検知手段としては、例えば、表示装置のＨＤＭＩ入力端子近傍に設けられたフォトインタラプタなどを適用することができ、表示装置のＨＤＭＩ入力端子に対してＨＤＭＩケーブルが物理的に接続されているか否かを検知できるようになっている。
【００２３】
さらに表示装置は、ＨＤＭＩ入力端子に対するＨＤＭＩケーブルの物理的な接続が検知されているときに、ＨＤＭＩケーブルにより接続された外部機器がＣＥＣメッセージに対応している機器かどうかを判別する機器判別手段を有している。この場合、機器判別手段は、ＨＤＭＩ入力端子に接続されたＨＤＭＩケーブルのＣＥＣラインに対して、所定のＣＥＣメッセージを送信し、そのＣＥＣメッセージに対する返信の有無を判別し、その返信の有無の判別結果に従って、外部機器がＣＥＣメッセージに対応しているかどうかを判別する。
【００２４】
つまり、ここではＨＤＭＩケーブル接続検知手段により、表示装置に対してＨＤＭＩケーブルが物理的に接続されていることが検知された場合、何らかのＨＤＭＩ対応の外部機器が表示装置に接続されているものとみなすことができる。そしてこのときに、ＨＤＭＩケーブルのＣＥＣラインを介して所定のＣＥＣメッセージを表示装置から外部機器に送信する。
【００２５】
そして外部機器からの返信がない場合、外部機器がＣＥＣに非対応の機器であるものと判別される。このときに表示装置は、その外部機器を操作するための操作信号をＣＥＣメッセージとは異なる手段により外部機器に送信する。ここでは、表示装置が備えるリモコンや本体キーなどの操作入力手段に対して操作入力が行われた際に、外部機器を制御するための操作信号を送信する。例えばリモコンから送信された操作信号を、外部機器を制御するための操作信号に変換し、表示装置に接続したビデオマウスを使用して外部機器に送信することで、外部機器の制御を行う。
ここでリモコンなどの操作入力手段から送信（出力）された操作信号が、本発明の第１の操作信号に該当し、外部機器を操作するために外部機器に送信する操作信号が、本発明の第２の操作信号に該当する。第２の操作信号は、第１の操作信号を変換することで得られる。
【００２６】
表示装置では、リモコン等からの操作信号に含まれる制御コードと、外部機器を制御するための制御コードとを、外部機器の種別ごとに関連付けてテーブルにして記憶している。そして操作信号を変換する際に、テーブルを参照し、リモコン等からの操作信号に含まれる制御コードに基づいて、外部機器を制御するための制御コードを抽出する。そしてリモコン等からの操作信号を、上記抽出した制御コードを用いた操作信号に変換して送信する。
【００２７】
また上記のテーブルでは、リモコン等からの操作信号に含まれる制御コードに従って生成されるＣＥＣメッセージと、外部機器を制御するための制御コードとを、外部機器の種別ごとに関連付けて記憶するようにしてもよい。この場合、操作信号を変換する際に、上記テーブルを参照し、リモコン等からの操作信号に含まれる制御コードに従って生成されるべきＣＥＣメッセージに基づいて、外部機器を制御するための制御コードを抽出する。そしてリモコン等からの操作信号を、上記抽出した制御コードを用いた操作信号に変換して送信する。
【００２８】
ＣＥＣ非対応の外部機器の種別は、予め表示装置で表示させた機器選択画面に対するユーザ操作により登録しておくようにする。このとき外部機器の種別として、例えば機器のメーカー名と機器の種類（機器カテゴリー）とを用いることができる。
【００２９】
その後、ユーザがリモコン等の操作入力手段を操作したときに、表示装置では、その操作により送信された制御コードが、外部機器を制御するための制御コードであるかどうかを判別する。そして外部機器を制御するための制御コードであれば、現在登録されている外部機器の種別に従って上記テーブルを参照し、リモコン等から入力した制御コードに従って、登録された外部機器を制御できる制御コードを抽出する。そして抽出した制御コードによる操作信号を、ビデオマウス等を用いて外部機器に送信する。このような動作を行うことにより、ユーザは、ＣＥＣ非対応機器をプリセットしておくだけで、ＣＥＣ対応または非対応を意識することなく、同様の操作で同様の動作を外部機器に実行させることができるようになる。
【００３０】
以下、本発明による表示装置の実施形態について、図面を参照しながら説明する。
図１は、本発明による表示装置の一実施形態を説明するためのブロック図で、表示装置の一実施形態であるテレビジョン装置の構成例を示すものである。
テレビジョン装置１００において、チューナ部１０１は、アンテナＡＴから受信した放送信号の中からユーザが指定したチャンネルの選局処理を行う。ＴＶ信号処理部１０２はチューナ部１０１で選局されたＴＶ信号を処理し、映像信号および音声信号を合成処理部１０３に出力する。合成処理部１０３は、ＴＶ信号処理部１０２からの映像信号による映像画面に対して、データ放送処理部１０７やブラウザ処理部１０９からの画像信号、およびＯＳＤ信号生成部１１２からのＯＳＤ信号が入力され、これらを合成処理して出力処理部１０４に出力する。
【００３１】
出力処理部１０４は、合成処理部１０３からの映像信号を各種の設定パラメータに基づいてコントラスト、輝度、彩度などの補正処理を行って表示部１０６に出力すると共に、音声信号の音量調整、音質調整および増幅を行い、スピーカなどの音声出力部１０５に出力する。データ放送処理部１０７は、データ放送を行っているチャンネルが選局されるとその放送番組におけるメタデータを抽出すると共にコンテンツデータを合成処理部１０３に出力する。
【００３２】
インターネット受信処理部１０８は、ユーザ操作によりインターネット受信モードが選択されてコンテンツの配信サービスを行っているホームページにアクセスを行い、そのコンテンツデータをブラウザ処理部１０９に出力する。ブラウザ処理部１０９は、インターネット受信処理部１０８からのコンテンツデータを表示部１０６に表示可能なフォーマットに変換して合成処理部１０３に出力する。
【００３３】
制御部１１３は、ＣＰＵ１１４と、各種処理プログラムが格納されているＲＯＭ１１５、ワークメモリとしてのＲＡＭ１１６、各種設定用のデータを保存する不揮発性メモリ１１７等を備えて構成され、チューナ部１０１のチャンネル切り換えをはじめＴＶ信号処理部１０２、合成処理部１０３、出力処理部１０４、データ放送処理部１０７、インターネット受信処理部１０８、ブラウザ処理部１０９、およびＯＳＤ信号生成部１１２に対しての制御を行う。また制御部１１３には内蔵のＨＤＤ１２８が接続される。そして制御部１１３の不揮発性メモリ１１７には、ＨＤＭＩ対応でＣＥＣ非対応の外部機器の接続状態や設定状態に関する情報を保存しておく。
【００３４】
また、制御部１１３には、本体に設けられている操作入力部１１８とリモコンＩ／Ｆ１１９が接続されており、リモコン（リモートコントローラ）１２１からの操作信号を受信する受光部１２０がリモコンＩ／Ｆ１１９に接続されている。操作入力部１１８は、キーやボタン、タッチパネルなどが適用される。これらリモコン１２１及び操作入力部１１８が、本発明の操作入力手段に該当する。これら操作入力手段は、ユーザによる操作に応じた操作信号を制御部１１３に対して出力する。
また、制御部１１３には通信Ｉ／Ｆ１２２が接続されており、ユーザ操作によりブラウザが起動されると通信Ｉ／Ｆ１２２を介してインターネット１２３に接続される。そして例えばあらかじめ登録されているＵＲＬのウェブサーバ１２４が提供するコンテンツ情報が取得可能となる。
【００３５】
また制御部１１３には、カードＩ／Ｆ１２５を介してカードホルダ１２６が接続されている。カードホルダ１２６に装着されたメモリカード１２７には、受信した放送番組やインターネットからの各種の映像音声データを保存することができる。
【００３６】
さらに制御部１１３には、ＨＤＭＩレシーバ１２９およびフロントマイコン１３０を介してＣＥＣ Ｉ／Ｆ１３１が接続され、ＨＤＭＩレシーバ１２９およびＣＥＣ Ｉ／Ｆ１３１の他端は、ＨＤＭＩコネクタ１３２に接続される。
テレビジョン装置１００と図示しない外部機器とは、ＨＤＭＩケーブル１３５にて接続可能となっている。ＨＤＭＩケーブル１３５は、デジタル信号である映像・音声信号のストリームを差動方式で伝送するためのＴＭＤＳ（Transition Minimized Differential Signaling；デジタル信号転送ライン）１３３と、機器間で共通の制御信号（ＣＥＣメッセージ）を伝送する双方向バスであるＣＥＣライン１３４とを有している。テレビジョン装置１００では、ＨＤＭＩケーブル１３５により接続された外部機器から送信されたストリームをＨＤＭＩレシーバ１２９で受信し、制御部１１３に入力する。
【００３７】
フロントマイコン１３０は、ＣＥＣコントローラを含み、ＣＥＣライン１３４からＣＥＣＩ／Ｆ１３１を介して転送されてくるＣＥＣメッセージを監視する。テレビジョン装置１００のスタンバイモードなどにおいて制御部１１３がダウンしているときでもフロントマイコン１３０が動作し、ＣＥＣメッセージの送受信を可能な状態に維持する。
【００３８】
ＨＤＭＩ・ＣＥＣ対応の図示しない外部機器は、ＴＭＤＳライン１３３を介してストリームを送信するためのＨＤＭＩトランスミッタと、ＣＥＣライン１３４を介してＣＥＣメッセージを送受信するためのＣＥＣ Ｉ／Ｆとを有している。またＨＤＭＩ対応でＣＥＣ非対応の外部機器の場合にも、ＨＤＭＩケーブルの仕様としては同様であり、このときに外部機器では、ＣＥＣライン１３４を介して送信されてくるＣＥＣメッセージに対応することができない。
【００３９】
さらにテレビジョン装置１００の制御部１１３には、ＨＤＭＩコネクタ１３２に対するＨＤＭＩケーブルの物理的な接続を検出するための接続検出部１３８が接続される。接続検出部１３８は、ＨＤＭＩコネクタ１３２に対して接続されたＨＤＭＩケーブルの有無をセンサなどによって検出するもので、一例としてフォトインタラプタを用いることができる。接続検出部１３８によって本発明のＨＤＭＩケーブル接続検知手段が実現される。
【００４０】
さらに制御部１１３には、ビデオマウスＩ／Ｆ１３６を介してビデオマウスコネクタ１３７が接続される。ビデオマウスコネクタ１３７には、ビデオマウスが接続される。そして制御部１１３の制御により、ＨＤＭＩケーブル１３５によって接続されたＣＥＣ非対応の外部機器に対して、ビデオマウスから操作信号を送信させる。
【００４１】
上記のような構成により、制御部１１３では、接続検出部１３８によりＨＤＭＩケーブル１３５の物理的な接続が検知されているときに、ＨＤＭＩケーブル１３５により接続された外部機器がＣＥＣメッセージに対応している機器かどうかを判別する。つまり制御部１１３により、本発明の機器判別手段が実現される。
さらに制御部１１３は、ＨＤＭＩケーブル１３５のＣＥＣライン１３４に対して所定のＣＥＣメッセージを送信し、そのＣＥＣメッセージに対する返信の有無を判別することにより、ＨＤＭＩケーブル１３５により接続された外部機器がＣＥＣメッセージに対応しているかどうかを判別する。つまり制御部１１３により、本発明の機器判別手段が実現される。
【００４２】
そして制御部１１３は、送信したＣＥＣメッセージに対して外部機器からの返信がない場合、外部機器がＣＥＣに非対応の機器であるものと判別し、リモコン１２１等の操作入力手段に対する操作により該操作入力手段から出力される操作信号を、外部機器を操作するための操作信号に変換し、ビデオマウスコネクタ１３７に接続したビデオマウスにより外部機器に送信する。つまり制御部１１３により、本発明の操作信号変換手段、及び操作信号送信手段が実現される。
【００４３】
また制御部１１３のＲＯＭ１１５または不揮発性メモリ１１７等には、リモコン１２１等の操作入力手段に対する操作によって出力される操作信号に含まれる制御コードと、外部機器を制御するための制御コードとを関連付けたテーブルが記録されている。そして制御部１１３では、リモコン１２１等の操作入力手段に対して操作入力が行われた際に、そのテーブルを参照し、操作入力手段からの操作信号を、外部機器を制御するための操作信号に変換して送信する。ＣＥＣ非対応の外部機器の種別は、ユーザによる入力操作に従って制御部１１３の不揮発性メモリ１１７等に記憶させておく。
【００４４】
図２は、上記表示装置の実施形態において、ＨＤＭＩコネクタの近傍に設けられる接続検出手段の構成例を示す図である。
上記のように、本発明に係る実施形態では、ＨＤＭＩコネクタ１３２に対してＨＤＭＩケーブル１３５が物理的に接続されているか否かを検出するための接続検出部１３８が設けられる。図２の例では、接続検出部１３８の一例としてフォトインタラプタ１３８´が用いられる。ここでは、テレビジョン装置１００が備えるＨＤＭＩコネクタ（ＨＤＭＩ入力端子）１３２の近傍に、フォトインタラプタ１３８´が設けられる。
フォトインタラプタ１３８´は、発光素子と受光素子とを有し、これらが、ＨＤＭＩコネクタ１３２の両側で、ＨＤＭＩケーブルのプラグ挿入部を挟み込むように配置される。そしてＨＤＭＩコネクタ１３２に対してＨＤＭＩケーブルのプラグが接続されると、発光素子からの発光が遮られ、受光素子がそれを検知して検出信号を出力する。検出信号は制御部１１３に入力される。
【００４５】
なお接続検出部１３８としては、上記のようなフォトインタラプタ１３８´に限定されることなく、各種センサなど、ＨＤＭＩコネクタ１３２に対してＨＤＭＩケーブルが物理的に接続されていることを検出できるものであれば適宜採用することができる。
【００４６】
上記のような構成で、本実施形態のテレビジョン装置１００では、接続検出部１３８によってＨＤＭＩコネクタ１３２に対してＨＤＭＩケーブルが物理的に接続されていることを検知した場合、ＨＤＭＩケーブル１３５のＣＥＣライン１３４に、所定のＣＥＣメッセージを送信する。ここではＨＤＭＩケーブル１３５が物理的に接続されているため、そのＨＤＭＩケーブル１３５の他端にはＨＤＭＩ対応の外部機器が接続されているものとみなし、ＣＥＣメッセージをその外部機器に対して送信する処理を行う。そして、外部機器から所定のＣＥＣメッセージが送信されてこなかった場合に、その外部機器がＣＥＣ非対応であるものと判断する。
【００４７】
このときのＣＥＣメッセージとしては、ＨＤＭＩで規定される＜give physical address＞を用いることができる。＜give physical address＞は、任意の論理アドレスの機器に対してその物理アドレスを要求するコマンドである。そしてこれを受けたＨＤＭＩ／ＣＥＣ対応のＡＶ機器では、ＣＥＣメッセージ＜report physical address＞を返信し、これにより自身の物理アドレスを知らせる。
通常、ＨＤＭＩ／ＣＥＣ対応の表示装置では、電源投入時等において、自身のＨＤＭＩコネクタに接続された機器をマッピングするために、＜give physical address＞をブロードキャストで外部機器に送信する。これに対して＜report physical address＞で指定された論理アドレスをもつ外部機器は、自身の物理アドレスを知らせるための＜report physical address＞を返信する。
【００４８】
本発明に係る実施形態では、このようなマッピングに使用するＣＥＣメッセージ＜give physical address＞を用い、ＨＤＭＩコネクタ１３２に対してＨＤＭＩケーブルが物理的に接続されていることが検知されたときに、そのＨＤＭＩコネクタを介して、ＨＤＭＩケーブルに＜give physical address＞を送信する。そしてこのときに、＜report physical address＞が返信されてこない場合には、ＣＥＣ非対応の外部機器が接続されているものと判断する。
【００４９】
ＣＥＣ対応可否の判定用のＣＥＣメッセージとしては、上記の＜give physical address＞を用いることが有効であるが、この他、ストリームの入力経路を切り替えるためのＣＥＣメッセージ＜set stream path＞を用いるようにしてもよい。＜set stream path＞で指定されたＣＥＣ対応の外部機器は、自身がアクティブであることを示すＣＥＣメッセージである＜active source＞を返信する。この場合、必ずしも全てのＣＥＣ対応機器が＜active source＞を返信するとは限らないが、＜active source＞を返信しない外部機器を全てＣＥＣ非対応とみなして制御するようにしてもよい。
【００５０】
そしてテレビジョン装置１００の制御部１１３は、ＣＥＣ非対応の外部機器を操作可能とするための機器選択画面を表示部１０６に表示し、ユーザ操作に従って接続された外部機器の種別を登録する。ここでは外部機器の種別の一例として、外部機器のベンダーと機種（機器カテゴリー）を登録する。上記機器選択画面や登録された外部機器の種別の情報は、ＲＯＭ１１５ないし不揮発性メモリ１１７に記憶される。従って制御部１１３及び表示部１０６が、本発明の登録画面を表示する手段に該当し、ＲＯＭ１１５や不揮発性メモリ１１７等のメモリが、本発明の外部機器種別記憶手段に該当する。
【００５１】
制御部１１３の不揮発性メモリ１１７またはＲＯＭ１１５には、予め複数の機種に対応した制御コードが記憶されている。ここでは上述したように、リモコン１２１や操作入力部１１８などの操作入力手段に対する操作入力により出力される操作信号に含まれる制御コードと、外部機器を制御するための制御コードとを関連付けたテーブルを記録する。
また上記のテーブルでは、リモコン等からの操作信号に含まれる制御コードに従って生成されるＣＥＣメッセージと、外部機器を制御するための制御コードとを、外部機器の種別ごとに関連付けて記憶したものであってもよい。
【００５２】
そして制御部１１３では、リモコン１２１等の操作入力手段に対して操作入力が行われた際に、そのテーブルを参照し、操作入力手段からの操作信号を、外部機器を制御するための操作信号に変換し、ビデオマウスコネクタ１３７に接続されたビデオマウスを使用して外部機器に送信する。ＣＥＣ非対応の外部機器では、ビデオマウスから送信されたリモコン信号によって、ＣＥＣメッセージに従う動作と同様の動作を実行することができる。
【００５３】
図３は、本発明の表示装置におけるＣＥＣ対応機器の判定処理の一例を説明するためのフローチャートである。以下、図１の構成例を参照しながら説明する。
テレビジョン装置１００の制御部１１３は、ＨＤＭＩコネクタ１３２に対してＨＤＭＩケーブル１３５が物理的に接続されているかどうかをチェックする（ステップＳ１）。ここでは、接続検出部１３８による検出信号を制御部１１３にて監視している。
【００５４】
そしてＨＤＭＩケーブルの物理的な接続がなければ（ステップＳ２−ＹＥＳ）、ステップＳ１の接続チェックを継続する。また物理的な接続があったことが検出された場合には（ステップＳ２−ＮＯ）、ＨＤＭＩコネクタ１３２を介して、ＨＤＭＩケーブルのＣＥＣライン１３４にＣＥＣメッセージ＜give physical address＞を送信し（ステップＳ３）、コマンドの受信を待機する（ステップＳ４）。
【００５５】
ここでコマンドの受信なければ（ステップＳ５−ＹＥＳ）、受信がない状態で所定時間が経過したかどうかを判別する（ステップＳ６）。所定時間は例えば数秒程度の時間を用いる。そして所定時間経過していなければステップＳ４に戻ってコマンド受信を待つ。一方所定時間経過していれば、ＨＤＭＩコネクタ１３２に接続された外部機器がＣＥＣ非対応機器であるものと判断し、その外部機器をＣＥＣ非対応機器として登録する（ステップＳ９）。
このときの外部機器の登録処理では、制御部１１３は、予め用意した機器登録画面を表示部１０６に表示させ、外部機器のベンダーと機器の種類（機器カテゴリー）をユーザに選択させて登録する。登録結果は不揮発性メモリ１１７等に登録し、操作入力部１１８やリモコン１２１による操作入射手段の操作が行われたときに、これら操作入力手段からの操作信号を、登録機器に応じた制御コードによる操作信号に変換して、ビデマウスを通じて送信する。
【００５６】
ステップＳ５でコマンドの受信があった場合、その受信コマンドがＣＥＣメッセージ＜report physical address＞かどうかを判別する（ステップＳ７）。そして受信コマンドが＜report physical address＞であれば、接続された外部機器はＣＥＣ対応機器であるため、ＣＥＣ対応機器として登録する（ステップＳ８）。
ＣＥＣ対応機器として登録した場合には、操作入力部１１８やリモコン１２１に対して、その外部機器を制御するための操作が行われたときに、制御部１１３は、その操作に対応したＣＥＣメッセージを生成してＨＤＭＩケーブルを介して外部機器に送信する。これによりテレビジョン装置１００では、ＣＥＣメッセージを用いて外部機器を制御することができる。またステップＳ７で受信コマンドが＜report physical address＞ではない場合、ＣＥＣ非対応機器であると判断し、ＣＥＣ非対応機器として登録する（ステップＳ９）。
【００５７】
なお上記の例ではＣＥＣメッセージ＜give physical address＞，＜report physical address＞を用いてＣＥＣ対応の可否の判定処理を行っているが、他のコマンド、例えば＜set stream path＞，＜active source＞を用いた場合にも同様の処理によりＣＥＣ対応の可否の判定を行うことができる。
【００５８】
図４は、本発明に係る実施形態において、表示装置で表示する機器選択画面の一例を示す図である。ユーザはテレビジョン装置の操作入力部１１８またはリモコン１２１に対して所定の操作を行うことにより、図４に示すような機器選択画面１０を表示部１０６に表示させることができる。この例では、テレビジョン装置１００には、２つのＨＤＭＩ入力端子（ＨＤＭＩコネクタ）があり、それぞれテレビジョン装置の入力を示す“ＩＮＰＵＴ５”、“ＩＮＰＵＴ６”に割り当てられているものとする。
【００５９】
テレビジョン装置１００に接続された外部機器がＣＥＣに対応している場合には、図４に示すようなＨＤＭＩ入力端子（ＩＮＰＵＴ５，ＩＮＰＵＴ６）１１に対してその接続位置１２が表示される。この例では接続位置１２は［１．０．０．０］、［２．０．０．０］のようなＨＤＭＩの物理アドレスを示す数字コードで示されている。物理アドレスは、テレビジョン装置１００による外部機器のマッピング処理時や、外部機器の接続時に外部機器から送信されるＣＥＣメッセージによってテレビジョン装置１００で取得することができる。
【００６０】
ここでユーザは、操作対象とする外部機器を選択する。つまりこの例ではＩＮＰＵＴ５、またはＩＮＰＵＴ６を選択することにより、選択したＨＤＭＩ入力端子に接続される外部機器を操作対象として選択することができる。そして例えばユーザが、操作入力部１１８やリモコン１２１により、外部機器を制御するための操作を行った場合、例えばリモコン１２１の「ワンタッチ録画」を押した場合、ユーザが選択した操作対象の機器に対してＣＥＣメッセージにより録画動作を指示することができる。またこの機器選択は、一度選択操作を実行しておけば、その設定を再度変更しないかぎり有効に維持される。
【００６１】
図５は、本発明に係る実施形態において、表示装置で表示する機器選択画面の他の例を示す図である。ＨＤＭＩ入力端子にＣＥＣ非対応機器が接続されているものと判定された場合、ＣＥＣ非対応機器として登録する処理を行う。このとき機器選択画面１０には、ＣＥＣ非対応機器のメーカー名と機器種類とを表示する機器設定表示部１３が表示されている。そしてユーザ操作によって「メーカー」が選択されると、機器選択画面１０にはメーカーコード一覧１４が表示される。これは外部機器のメーカーをコードとして示したもので、ユーザは、外部機器のメーカーに対応したメーカーコードを選択する。次いでユーザ操作によって「機器種類」が選択されると、図６に示すように、図機器選択画面１０には、機器種類一覧１５が表示される。これに対してユーザは機器の種類（機器カテゴリー）を選択する。こうして選択されたＣＥＣ非対応機器のメーカー名と機器の種類は、機器設定表示部１３に表示される。
【００６２】
上記のような選択操作によって、ＣＥＣ非対応機器として判定された機器に対して、メーカー名と機器の種類とを予め設定しておくことができる。テレビジョン装置１００の制御部１１３では、設定されたメーカー名と機器の種類とに基づいて、操作入力部１１８やリモコン１２１のキー操作による操作信号を、外部機器を制御するための操作信号に変換し、ビデオマウスコネクタ１３７に接続したビデオマウスから外部機器に対して送信する。
【００６３】
図７は、制御コード変換用のテーブルの一例を示す図である。ここではメーカーと機器の種類ごとに異なる制御コードを予めＲＯＭ１１５や不揮発性メモリ１１７に格納しておく。この場合の制御コードは、ビデオマウスにより送信し、外部機器で受信することができるリモコンコードである。
そして本例では、ダイレクト設定を使用してリモコンコードをプリセットする。ダイレクト設定とは、図７のようなテーブルのデータから、制御に使用するリモコンコードを直接指定することにより、レコーダやＤＶＤプレーヤ等の機器の種類名とメーカー名等に対応付けられたリモコンコードをプリセットするものをいう。
【００６４】
図７の例では、機器種類とメーカー名との組み合わせに応じて、リモコンキーの操作時に実行させる動作が規定されている。例えばこの例では、外部機器を操作対象とするキーは、「再生」、「早戻し」、「停止」、「早送り」、「青」、「赤」、「緑」、及び「黄」である。そしてこれらのキーに対して、外部機器にて実行すべき動作が設定されている。これらのキーとしては、例えばＨＤＭＩ接続された外部機器をテレビジョン装置１００で制御するために専用に設けられたものを適用することができる。なおリモコンキーのみならずテレビジョン装置１００の操作入力部１１８のキーに対しても、同様の設定を行うことができる。
【００６５】
例えば図７の例では、リモコンコードＮｏ．「１」〜「６」に設定される機器の種類とメーカー名との組み合わせの場合、リモコンの「再生」、「早戻し」、「停止」、「早送り」、「録画」キーに対して、それぞれ外部機器で「再生」、「早戻し」、「停止」、「早送り」、「録画」の動作を実行させるリモコンコードを設定しておく。
またリモコンコード番号「７」〜「１２」に設定される機器の種類とメーカー名の組み合わせの場合、リモコンの「青」、「赤」、「緑」、「黄」のキーに対して「メニュー」を表示させる動作を実行させるリモコンコードを記憶させておく。さらにリモコンコードＮｏ．「１３」〜「１８」に設定される機器の種類とメーカー名の組み合わせの場合、リモコンの「再生」、「早戻し」、「停止」、「早送り」、「録画」キーに対して、「ミュート」の動作を実行させるリモコンコードを記憶させておく。
【００６６】
テレビジョン装置１００において、ＣＥＣ非対応の外部機器が操作対象として選択されていて、リモコン１２１（あるいは操作入力部１１８）に対してその外部機器を操作するためのキー操作が行われた場合、制御部１１３は、キー操作によって出力された操作信号によるリモコン固有のリモコンコードを、外部機器を制御するためのリモコンコードに変換して、ビデオマウスにより送信する。このときに図７のデータを参照し、上記図５で予め設定されているメーカー名と機器の種類との組み合わせに従って、リモコン１２１のキー操作に応じたリモコンコードに変換する。これにより、予め外部機器のメーカー名と機器の種類とを設定しておくことで、その外部機器を制御するリモコンコードを送信することができる
【００６７】
また新たな制御コード（ここではリモコンコード）を追加して記憶する場合には、インターネットやデータ放送などからリモコンコードを抽出して追加したり、メモリカード媒体用のカードスロットやＵＳＢ経由で新たなリモコンコードを取り込むことも可能である。また上記のような構成により、例えばＨＤＭＩ規格がバージョンアップされ、ＨＤＭＩ・ＣＥＣに変更が加わった場合でも、リモコン等の操作入力手段の操作による制御コードと、外部機器を制御するための制御コードとの対応関係を新たにテーブルに記憶させることにより、新たな規格にも対応して外部機器の制御を実行することができるようになる。
【００６８】
図８は、本発明の表示装置におけるリモコンコードの受信処理の一例を説明するためのフローチャートである。ユーザによるリモコン１２１のキー操作によって、リモコン１２１からリモコンコードが送信され、テレビジョン装置１００の受光部１２０でそのリモコンコードを受信した場合（ステップＳ１１）、制御部１１３は、そのリモコンコードが外部機器を操作する外部機器操作コード（外部機器操作用の制御コード）であるかどうかを判別する。この場合、上記の例のように、「再生」、「早戻し」、「停止」、「早送り」、「録画」キー、や「青」、「赤」、「緑」、「黄」などのキーに外部機器操作用のリモコンコードが割り当てられていれば、表示装置の制御部は、受信したリモコンコードが外部機器操作コードであることを判別できる。
【００６９】
そして受信したリモコンコードが外部機器操作コードでなければ（ステップＳ１２−Ｎｏ）、そのリモコンコードに従ってテレビジョン装置１００の操作を行う（ステップＳ１５）。また受信したリモコンコードが外部機器操作コードであれば（ステップＳ１２−Ｙｅｓ）、制御対象機器（外部機器）がＣＥＣ対応かどうかを判別する（ステップＳ１３）。ここでは上述したＣＥＣメッセージによるＣＥＣ対応可否の判断処理に従って、表示装置に接続されている外部機器がＣＥＣ対応か否かを判別する。
【００７０】
そして制御対象機器がＣＥＣ対応であれば、ＨＤＭＩケーブルのＣＥＣラインにより制御対象機器を制御するためのＣＥＣメッセージを送信する（ステップＳ１４）。また制御対象機器がＣＥＣ非対応であれば、受信したリモコンコードを制御対象機器用のリモコンコードに変換する（ステップＳ１６）。ここでは上記のように、予め設定されているメーカー名と機種名とに従って、受信したリモコンコードのキー操作に対応した制御対象機器用の新たなリモコンコードを生成する。そして生成した新たなリモコンコードをビデオマウスにて制御対象機器に送信する（ステップＳ１７）。
【００７１】
図９は、本発明の表示装置において機器選択を行うときの操作の他の例を示す図である。上記図４〜図６の例では、ＨＤＭＩ入力端子に接続された機器を選択するための専用の機器選択画面を用意し、接続機器を設定するようにしているが、この他、図９に示すような入力切替メニューを使用して接続機器を設定するようにしてもよい。例えば本発明に係る表示装置の一例であるテレビジョン装置１００に、図９に示すような入力切替メニュー２０が用意されている場合、ユーザは、リモコンの所定キー等を用いて入力切替メニュー２０を表示させ、ＨＤＭＩ入力端子が割り当てられている入力を選択することができる。
【００７２】
例えば図４の例と同様にＨＤＭＩ入力端子がＩＮＰＵＴ５、ＩＮＰＵＴ６に割り当てられているものとする。ユーザが、これらのうち任意の入力を選択すると、上記の例と同様にテレビジョン装置１００では、選択されたＨＤＭＩ入力端子に対するＨＤＭＩケーブルの物理的な接続を検出し、ＨＤＭＩケーブルが接続されていれば、所定のＣＥＣメッセージを送出して外部機器がＣＥＣ対応であるかどうかを判別する。ＣＥＣ対応であればその外部機器をＣＥＣ対応機器として登録し、ＣＥＣ非対応であれば、メーカーコードと機器の種類（機器カテゴリー）とを登録する画面を表示して、ユーザ登録に従って機器登録を行う。その後の処理は、上記の例と同様に実行させることができる。
【図面の簡単な説明】
【００７３】
【図１】本発明による表示装置の一実施形態を説明するためのブロック図
【図２】表示装置の実施形態において、ＨＤＭＩコネクタの近傍に設けられる接続検出手段の構成例を示す図である。
【図３】本発明の表示装置におけるＣＥＣ対応機器の判定処理の一例を説明するためのフローチャートである。
【図４】本発明に係る実施形態において、表示装置で表示する機器選択画面の一例を示す図である。
【図５】本発明に係る実施形態において、表示装置で表示する機器選択画面の他の例を示す図である。
【図６】本発明に係る実施形態において、表示装置で表示する機器選択画面の更に他の例を示す図である。
【図７】制御コード変換用のテーブルの一例を示す図である。
【図８】本発明の表示装置におけるリモコンコードの受信処理の一例を説明するためのフローチャートである。
【図９】本発明の表示装置において機器選択を行うときの操作の他の例を示す図である。
【符号の説明】
【００７４】
１０…機器選択画面、１１…入力端子、１２…接続位置、１３…機器設定表示部、１４…メーカーコード一覧、１５…機器種類一覧、２０…入力切替メニュー、１００…テレビジョン装置、１０１…チューナ部、１０２…ＴＶ信号処理部、１０３…合成処理部、１０４…出力処理部、１０５…音声出力部、１０６…表示部、１０７…データ放送処理部、１０８…インターネット受信処理部、１０９…ブラウザ処理部、１１２…ＯＳＤ信号生成部、１１３…制御部、１１４…ＣＰＵ、１１５…ＲＯＭ、１１６…ＲＡＭ、１１７…不揮発性メモリ、１１８…操作入力部、１１９…リモコンＩ／Ｆ、１２０…受光部、１２１…リモコン、１２２…通信Ｉ／Ｆ、１２３…インターネット、１２４…ウェブサーバ、１２５…カードＩ／Ｆ、１２６…カードホルダ、１２７…メモリカード、１２８…ＨＤＤ、１２９…ＨＤＭＩレシーバ、１３０…フロントマイコン、１３１…ＣＥＣ Ｉ／Ｆ、１３２…ＨＤＭＩコネクタ、１３３…ＴＭＤＳライン、１３４…ＣＥＣライン、１３５…ＨＤＭＩケーブル、１３６…ビデオマウスＩ／Ｆ、１３７…ビデオマウスコネクタ、１３８´…フォトインタラプタ、１３８…接続検出部。
【図１】
2009027599.tif 000003
【図２】
2009027599.tif 000004
【図３】
2009027599.tif 000005
【図４】
2009027599.tif 000006
【図５】
2009027599.tif 000007
【図６】
2009027599.tif 000008
【図７】
2009027599.tif 000009
【図８】
2009027599.tif 000010
【図９】
2009027599.tif 000011